(57)【要約】【課題】  スピーカを備えた携帯電話において、音圧レベルを高くする。【解決手段】  筐体１の一の平板部２には主音孔３が設けられ、筐体１の両側の側壁３、４には副音孔６、７が設けられている。スピーカユニット１１の後気室１６の両側に設けられた通気孔１７、１８と副音孔６、７との間には、複数の気室２５、３５を有する共鳴管２１、３１が設けられている。スピーカ１４からの音が主音孔３から発せられるとき、共鳴管２１、３１の共鳴現象により、スピーカ１４から発せられた音に共鳴した共鳴音が副音孔６または７から発せられる。これにより、音圧レベルを高くすることができる。【選択図】図１
2013120958.tif 000002
【特許請求の範囲】
【請求項１】
主音孔および副音孔を有する筐体と、前記筐体の前記音孔の部分の内側に設けられ、前記主音孔に連通する前気室、スピーカ、後気室および前記後気室に連通する通気孔を有するスピーカユニットと、前記筐体の副音孔と前記スピーカユニットの通気孔との間に設けられた共鳴管とを備えていることを特徴とする携帯型電子機器。
【請求項２】
請求項１に記載の発明において、前記主音孔は前記筐体の一の平板部に設けられ、前記副音孔は前記筐体の側壁に設けられていることを特徴とする携帯型電子機器。
【請求項３】
請求項２に記載の発明において、前記副音孔は前記筐体の両側の側壁にそれぞれ設けられ、前記通気孔は前記スピーカユニットの両側にそれぞれ設けられ、前記共鳴管は２つであることを特徴とする携帯型電子機器。
【請求項４】
請求項１〜３のいずれかに記載の発明において、前記共鳴管は長さの異なる複数の気室を有することを特徴とする携帯型電子機器。
【請求項５】
請求項４に記載の発明において、前記共鳴管の各気室の長さは予め設定された周波数に対応する長さであることを特徴とする携帯型電子機器。
【発明の詳細な説明】
【技術分野】
【０００１】
この発明は携帯電話等の携帯型電子機器に関する。
【背景技術】
【０００２】
従来の携帯電話等で用いられているスピーカユニットには、ケースとその上に設けられたカバーとの間の中央部に圧電振動板が設けられ、圧電振動板とカバーとの間の空間からなる前気室がカバーに設けられた音孔を介して外部と連通され、圧電振動板とケースとの間の空間からなる後気室がケースに設けられた開放孔を介して外部と連通されたものがある（例えば、特許文献１参照）。このスピーカユニットでは、圧電振動板の振動により前気室内の空気が振動し、この空気振動が音孔を介して外部に漏れ、これにより放音するようになっている。
【先行技術文献】
【特許文献】
【０００３】
【特許文献１】特開２００８−１９９２６６号公報（図８）
【発明の概要】
【発明が解決しようとする課題】
【０００４】
しかしながら、上記従来のスピーカユニットでは、圧電振動板の振動により前気室内の空気が振動し、この空気振動が音孔を介して外部に漏れ、これにより放音するようになっているだけであるので、音圧レベルに限界があると言わざるを得ないという問題がある。
【０００５】
そこで、この発明は、音圧レベルを高くすることができる携帯型電子機器を提供することを目的とする。
【課題を解決するための手段】
【０００６】
この発明に係る携帯型電子機器は、主音孔および副音孔を有する筐体と、前記筐体の前記音孔の部分の内側に設けられ、前記主音孔に連通する前気室、スピーカ、後気室および前記後気室に連通する通気孔を有するスピーカユニットと、前記筐体の副音孔と前記スピーカユニットの通気孔との間に設けられた共鳴管とを備えていることを特徴とするものである。
【発明の効果】
【０００７】
この発明によれば、音圧レベルを高くすることができる。
【図面の簡単な説明】
【０００８】
【図１】この発明の一実施形態としての携帯電話の要部の断面図。
【図２】音圧レベル周波数特性を説明するために示す図。
【発明を実施するための形態】
【０００９】
図１はこの発明の一実施形態としての携帯電話の要部の断面図を示す。この携帯電話は筐体１を備えている。筐体１の一の平板部２の所定の領域の複数箇所には円孔からなる主音孔３が設けられている。筐体１の左側側壁４および右側側壁５の各所定の箇所には円孔からなる左側副音孔６および右側副音孔７が設けられている。
【００１０】
筐体１の一の平板部２の主音孔３の部分の内側にはスピーカユニット１１が設けられている。スピーカユニット１１は有底円筒形状のフレーム１２を備えている。フレーム１２の周壁部上面は、筐体１の一の平板部２の主音孔３の部分の内面に接着剤（図示せず）を介して固着されている。
【００１１】
フレーム１２の内部中央部にはスピーカ１４が設けられている。スピーカ１４は磁気回路を用いる動電型であってもよく、また圧電膜を用いる圧電型であってもよい。スピーカ１４と筐体１の一の平板部２の主音孔３の部分との間の空間は前気室１５となっている。前気室１５は主音孔３と連通されている。スピーカ１４とフレーム１２の底部との間の空間は後気室１６となっている。後気室１６の左側および右側におけるフレーム１２には左側通気孔１７および右側通気孔１８が設けられている。
【００１２】
左側副音孔６と左側通気孔１７との間には左側共鳴管２１が設けられている。左側共鳴管２１は、断面円形状の管２２の左右端部およびその内部の所定の複数個所、例えば３箇所に、中央部に円孔２３を有する仕切り板２４が設けられ、隣接する仕切り板２３間に４つの気室２５が設けられた構造となっている。４つの気室２５の左右方向の長さは右側から左側に向かうに従って漸次長くなっている。
【００１３】
右側副音孔７と右側通気孔１８との間には右側共鳴管３１が設けられている。右側共鳴管３１は、断面円形状の管３２の左右端部およびその内部の所定の複数個所、例えば３箇所に、中央部に円孔３３を有する仕切り板３４が設けられ、隣接する仕切り板３３間に４つの気室３５が設けられた構造となっている。４つの気室３５の左右方向の長さは左側から右側に向かうに従って漸次長くなっている。
【００１４】
左側共鳴管２１の各気室２５および右側共鳴管３１の各気室３５の左右方向の長さはすべて異なっている。すなわち、左側共鳴管２１の各気室２５および右側共鳴管３１の各気室３５の左右方向の長さは、予め設定された複数の周波数にそれぞれ対応する長さとなっている。
【００１５】
ここで、上述の如く、左側共鳴管２１の４つの気室２５はその左右方向の長さが右側から左側に向かうに従って漸次長くなるように配列されているが、この４つの気室２５の配列はこれに限定されるものではなく、どんな配列であってもよい。また、上述の如く、右側共鳴管３１の４つの気室３５はその左右方向の長さが左側から右側に向かうに従って漸次長くなるように配列されているが、この４つの気室３５の配列はこれに限定されるものではなく、どんな配列であってもよい。
【００１６】
さて、この携帯電話では、スピーカ１４が振動すると、それに応じて前気室１５内の空気が振動し、この空気振動が主音孔３から外部に漏れ、これにより放音される。また、スピーカ１４の振動に応じて後気室１６内の空気が振動し、この空気振動が左側通気孔１７、左側共鳴管２１および左側副音孔６を介して外部に漏れ、且つ、右側通気孔１８、右側共鳴管３１および右側副音孔７を介して外部に漏れる。
【００１７】
この場合、左側共鳴管２１および右側共鳴管３１のそれぞれ複数の気室２５、３５のうち、その左右方向の長さがそのときのスピーカ１４の振動数に対応する長さであるものがあると、その気室で共鳴現象が生じ、左側副音孔６または右側副音孔７から共鳴音が発せられる。したがって、主音孔３から音が発せられるとともに、左側副音孔６または右側副音孔７から共鳴音が発せられ、共鳴音に相当する分だけ、音圧レベルを増加させることができる。
【００１８】
この結果、一例として、図２に示すように、主音孔３のみから音が発せられる場合の音圧レベルが点線で示すようになるのに対して、共鳴音が発せられる場合の音圧レベルは実線で示すようになり、点線で示す場合よりも全体的に高くなる。また、特定の周波数での音厚レベルを補完することが可能となり、平坦な音圧レベル周波数特性を得ることができる。
【００１９】
なお、この発明は、携帯電話に限らず、ＰＨＳ（Personal Handyphone System）、ＰＤＡ（Personal Data Assistance, Personal Digital Assistance:個人向け携帯型情報通信機器）等の携帯端末機器等の電子機器にも適用することができる。
【００２０】
以下、この発明の諸態様を付記としてまとめて記載する。
【００２１】
（付記１）
付記１の発明は、主音孔および副音孔を有する筐体と、前記筐体の前記音孔の部分の内側に設けられ、前記主音孔に連通する前気室、スピーカ、後気室および前記後気室に連通する通気孔を有するスピーカユニットと、前記筐体の副音孔と前記スピーカユニットの通気孔との間に設けられた共鳴管とを備えていることを特徴とする携帯型電子機器である。
【００２２】
（付記２）
付記２の発明は、付記１に記載の発明において、前記主音孔は前記筐体の一の平板部に設けられ、前記副音孔は前記筐体の側壁に設けられていることを特徴とする携帯型電子機器である。
【００２３】
（付記３）
付記３の発明は、付記２に記載の発明において、前記副音孔は前記筐体の両側の側壁にそれぞれ設けられ、前記通気孔は前記スピーカユニットの両側にそれぞれ設けられ、前記共鳴管は２つであることを特徴とする携帯型電子機器である。
【００２４】
（付記４）
付記４の発明は、付記１〜３のいずれかに記載の発明において、前記共鳴管は長さの異なる複数の気室を有することを特徴とする携帯型電子機器である。
【００２５】
（付記５）
付記５の発明は、付記４に記載の発明において、前記共鳴管の各気室の長さは予め設定された周波数に対応する長さであることを特徴とする携帯型電子機器である。
【符号の説明】
【００２６】
１  筐体
２  一の平板部
３  主音孔
４  左側側壁
５  右側側壁
６  左側副音孔
７  右側副音孔
１１  スピーカユニット
１２  フレーム
１４  スピーカ
１５  前気室
１６  後気室
１７  左側通気孔
１８  右側通気孔
２１  左側共鳴管
２５  気室
３１  右側共鳴管
３５  気室
【図１】
2013120958.tif 000003
【図２】
2013120958.tif 000004